(57)【要約】【課題】草刈り機の刈り刃Aにより切除した草を左方向へのみかき寄せする事が出来る機能を有して、右方向にはかき寄せ出来ない構造を持つ草寄せ器具であり、刈取り後の刈り草収集労力と時間を軽減し、収集方向を1方向に規定できる利点がある。【解決手段】刈り払い機フレーム１に簡単に脱着することが出来る軽量構造であり、草のかき寄せバーは可動式であり、左スイング時は刈刃Aで草を切除しながら草かき寄せバー５を前方に平行の位置に止め、切除と同時にかき寄せることが出来る構造であり、反対に右スイング時は草かき寄せバー５が９０度反転し右方向には草はかき寄せが出来ない位置となる構造を有する。【選択図】図３
0003219260.tif 000002
【実用新案登録請求の範囲】
【請求項１】
回転刃Aにより、切除された刈り草を左側スイングでかき寄せることが出来て、右スイングの時はかき寄せ出来ない機能を有することを特徴とする草刈り機の草寄せ器具
【考案の詳細な説明】
【技術分野】
【０００１】
この考案は草刈り機で刈り取った草を一定の方向へかき寄せる器具に関するものである。草刈り機の回転する刈り刃は左右、或いは前後、斜めとスイング、移動をさせる運動によって草は切断され刈り取る事が出来る。その際、刈り取られた草は散逸した状態でその場に残る。一般的に刈り取られた草はその後、かき集めて収集、或いはその場で乾燥させ焼却するのが通常である。そこで草の刈り取り作業とかき集める2つの作業を1作業の労力で同時に出来る技術に関するものである。
【背景技術】
【０００２】
従来は刈り取り後の散逸した刈り草の収集作業の労力を省く為に、刈り取った草を一定方向にかき寄せる器具は多様な方法と形式で考案され一定の好評価を得ている。しかし今ある様々な"草寄せ器具"なる製品はいずれも固定式の為、機能上不備なところが有った。発想を転換し、改良を加え新たな構造と機能を有する技術を考案することが出来た。
【先行技術文献】
【特許文献】
【０００３】
【特許文献１】特開2007-135442号  公報特願平10年ー２７５２８  実登３０５６２８１
【考案の概要】
【考案が解決しようとする課題】
【０００４】
特許及び実用新案各文献に開示されている草寄せ器具の機能はいずれも機能固定式の為、草刈り機本体フレームの左右揺動の運動により刈り草は左右どちらの方向にも機能し、左右にかき寄せられる事になる。元来、左右にかき寄せる必要もなく左端、或いは右端の一方だけで良いものである。通常、刃物の回転機能上、左にスイングする時に左側にかき寄せるのが適当と考えますが、右側にスイングする時は右方向にかき寄せる事になり不必要な結果となります。又右スイングの時、草寄せ具とまだ刈り取らない立ち草との接触抵抗も生じ、不要な労力・疲労に繋がります。
【課題を解決するための手段】
【０００５】
草寄せ器具の機能を可変式にすることによって、左にスイングする時にだけ左にかき寄せ、右にスイングする時は刈り草をかき寄せる事もなく、立ち草との抵抗がない機能を備える事を特徴とする。
【考案の効果】
【０００６】
この考案の草寄せ器具により、草刈り機本体の左右揺動の左スイングで刈り草を左端に寄せることが出来る。右スイングの時には右端に草を寄せる機能は有しない。進路右方に水路・水田のねき溝、壁等がある場合にも刈り草を左方向のみに寄せることが出来る。
【図面の簡単な説明】
【０００７】
【図１】本考案の第１実施形態「左スイング」時を示す斜視図である。
【図２】本考案の第１実施形態「右スイング」時を示す斜視図である。
【図３】本考案の第1実施形態を示す拡大斜視図である。
【図４】本考案の第１実施形態で左方向スイング可動状態を示す略平面図である。
【図５】本考案の左方向スイング可動状態での草かき寄せバー５の位置図である。
【図６】本考案の第1実施形態である右方向スイング可動状態を示す略平面図である。
【図７】本考案の右方向スイング可動状態での草かき寄せバー５の位置図である。
【図８】本考案のサドル他、構成部品の組立正面図である。
【図９】本考案のサドル他、構成部品の組立側面図である。
【図１０】草刈り機本体フレーム１に本考案の草寄せ器具を装着した斜視図である
【図１１】本考案の第2実施形態を示す拡大斜視図である。
【図１２】第2実施形態、左方向スイングの可動状態を示す略平面図である。
【図１３】第2実施形態、右方向スイング可動状態を示す略平面図である。
【考案を実施するための形態】
【０００８】
「実施形態の１」図1と図２は本実施形態の概略斜視図であり、図３はその部分拡大斜視図である。一般に利用されている市販刈り払い機のフレーム１の先端頭頂部２と安全カバー３の間に本草寄せ器具のサドル4を装着する。装着は蝶ボルト９蝶ナット１０を使用して工具不用にして脱着が容易である。図４は刈刃の左方向スイング時の平面図、図５はサドル４における草かき寄せバー５の位置であってフレームの前後方向に平行である。
【０００９】
図６の平面図は右スイングで草かき寄せバー５は反転し、切除した草を右方向へ寄せることが出来ない位置にあって、フレーム1と直角に位置している。図７の平面図は右方向へのスイングの状態でサドル４に対する草かき寄せバー５の位置を表している。
【００１０】
図８、図９は組立構造図であり詳細な構造を説明する。半加工したサドル4に任意の長さの支柱６を位置決めナット８でロックナット状に位置固定し、草かき寄せバー５と回転ボス７を溶着したものを組み込む。この草かき寄せバー５はサドル４上で９０度反転することが可能な状態にする。
【００１１】
図１０は草刈り機本体フレーム１に草寄せ器具本体を装着した側面図である。
【００１２】
[実施形態の２]フレーム１に向かって左側に位置して脱着する方式である。図１２は実施形態１と同じく切除した草を左方向へかき寄せている図を表す。図１３は同じく右にスイングして、草かき寄せバー５は切除した草を右方向にかき寄せない位置にあるとしている。草の種類、繁茂の状況によって使い分けします。
【実施例】
【００１３】
繁茂する草をを除草するためには無くてはならない必需品の農機具草刈機である。これまでは草を刈り取り、その後刈取った草を寄せ集め堆肥の原材料或いはその場で焼却をするのが草刈りの一連の作業であった。収集する場合、これまで散らばっている草をレーキ、フォーク等でかき集めて収集していました。この作業の手間を省力する為に考案した本草寄せ器具を使うと刈るのと同時にかき集め、進んで行く事により、焼却時も連綿と繋がって類焼していき、その場で焼却する場合にも有効である。又右方向に草が集まらない様にする事により水路、水田等の排水・給水路等除草作業をする場合には大変に有効である。又左右揺動の時、右スイングの時は刈刃と立ち草との接触抵抗もなく動かすことが出来て作業労力を軽減できる利点がある。
【産業上の利用可能性】
【００１４】
刈り払い機に取り付ける本考案の草寄せ器具は草の種類、繁茂の程度により使用、不使用を判断して、脱着がその場で道具不要で手軽に出来る。
【符号の説明】
【００１５】
１  フレーム
２  フレーム先端頭頂部
３  安全カバー
４  サドル
５  草かき寄せバー
６  支柱
７  回転ボス
８  位置決めナット
９  蝶ボルト
１０  蝶ナット
A  刈刃
【図１】
0003219260.tif 000003
【図２】
0003219260.tif 000004
【図３】
0003219260.tif 000005
【図４】
0003219260.tif 000006
【図５】
0003219260.tif 000007
【図６】
0003219260.tif 000008
【図７】
0003219260.tif 000009
【図８】
0003219260.tif 000010
【図９】
0003219260.tif 000011
【図１０】
0003219260.tif 000012
【図１１】
0003219260.tif 000013
【図１２】
0003219260.tif 000014
【図１３】
0003219260.tif 000015
【手続補正書】
【提出日】平成30年10月12日(2018.10.12)
【手続補正１】
【補正対象書類名】実用新案登録請求の範囲
【補正対象項目名】全文
【補正方法】変更
【補正の内容】
【実用新案登録請求の範囲】
【請求項１】
草刈り機本体のメインパイプに脱着する装置であって、刈刃の回転で刈り取った草をかき寄せできるバーを有する、そのバーにはスリーブを付属して回転軸の付いた装置本体に組み込み、旋回可動できる構造で、左スイングの時はかき寄せ、右スイングの時はかき寄せ不能なる機能を有することを特徴とする草寄せ器具。